(57)【要約】【課題】本発明は、運転者自身の精神的な不安定な状態、或いは感情を少しでも和らげる写真等を納める写真収納体の位置を変えることができるように車内に取り付け、運転者自身に精神的感情を和らげて落ち着きを取り戻させ、また、助手席にいる人もその写真を見ることのできる写真ホルダを提供することを目的とするものである。【解決手段】上記課題を解決するため、本発明は、写真を入れる写真収納体と、該収納体に一端部が固着されるフレキシブル支持体と、該フレキシブル支持体の他端部に、車内に固定するための固着具を設けた写真ホルダを特徴とするものである。【選択図】図５
2006043012.tif 000002
【特許請求の範囲】
【請求項１】
写真を収納する収納体と、該収納体に固着されたフレキシブル支持体と、該フレキシブル支持体の他端部には車内に固定するための固着具を設けてなることを特徴とする写真ホルダ。
【請求項２】
車内に固定するための固着具は、エアコン吹出口のフィンに固定される挟持金具からなることを特徴とする請求項１記載の写真ホルダ。
【請求項３】
車内に固定するための固着具は、シガレットライターのソケット部に差し込んで固定される挿入体からなることを特徴とする請求項１記載の写真ホルダ。
【発明の詳細な説明】
【技術分野】
【０００１】
本発明は、乗用車等の車内に設置するカーアクセサリーで、運転席から見える位置に設置できるようにした写真ホルダに関するものである。
【背景技術】
【０００２】
近年、自動車道が全国に広がると共に交通事故が多発して死傷者が増加し、社会問題化しているが、交通事故の原因として、スピードの出し過ぎ、疲れ、感情の高揚等いろいろ考えられる。普段は道路交通法を遵守して走行している人が、周囲を走行する車の変化の中でついスピードを出し過ぎたり、仕事・人間関係等のストレスによる心理的不安定が交通事故の誘因の一つと想定される。
【０００３】
実際に自動車を運転してみると、普段はスムーズに走行できる箇所が、急いでいるときに限って渋滞に巻き込まれたり、或いは、道路工事等で迂回路を走行しなければならなかったりしてイライラが募り、安全運転を忘れてついスピードを出し過ぎたり、無茶な運転をしたりして交通事故を引き起こしてしまうのである。
【０００４】
このような事故を誘発する運転者自身の精神的な不安定な状況、感情を少しでも和らげて、安全運転に関する意識の高揚の一助として、図６に示すように、ステアリングハンドルのハブ部上面に取り付けるクラクション押えに設けた凹部に写真が納められ、該凹部全体を覆うカバー体としての透明板がクラクション押えに対し開閉自在に取り付けたものは従来より知られている（例えば、特許文献１参照）。
【０００５】
しかし、上記した写真収納部は、ステアリングハンドルのハブ部上面に取り付けるクラクション押えに設けた凹部であるために、運転者から眺める写真等の位置は常に同じであって変化がなく、又助手席にいる人はその写真は見辛いものであった。
【０００６】
【特許文献１】実開平２−９９０６４号公報
【発明の開示】
【発明が解決しようとする課題】
【０００７】
本発明は、このような事故を誘発する運転者自身の精神的な不安定な状況、或いは、感情を少しでも和らげる写真収納体を、自由に移動できるようにして車内に取り付けることにより運転者から眺める写真の位置を変えることにより、運転者自身に精神的感情を和らげて落ち着きを取り戻させ、交通安全に対して思いやりのある余裕を起こさせ、更に、助手席にいる人も見ることのできる写真ホルダを提供することを目的とするものである。
【課題を解決するための手段】
【０００８】
上記課題を解決するため、写真を入れる写真収納体と、該収納体に一端部が固着されるフレキシブル支持体と、該フレキシブル支持体の他端部に、車内に固定するための固着具を設けた写真ホルダを特徴とする。
【０００９】
また、フレキシブル支持体を車内に固定するための固着具は、エアコン吹出口のフィンに固定する挟持金具からなる写真ホルダを特徴とする。
【００１０】
更に、フレキシブル支持体を車内に固定するための固着具は、シガレットライターのソケット部に差し込んで固定する挿入体からなる写真ホルダを特徴とする。
【発明の効果】
【００１１】
本発明は、写真を入れる写真収納体がフレキシブル支持体によって支持されているので、運転者が一番見やすい位置に合わせることができ、又、フレキシブル支持体の車内への取り付けも、エアコンの吹出口のフィン、或いは、シガレットライターのソケット部を利用して簡単に固定することができる。
【００１２】
更に、写真を入れる写真収納体を、運転者から一番見やすい位置に固定することができるので、運転中の精神的感情を和らげ、運転者に安全運転をしようとする気をおこさせるので、交通事故防止に優れた効果を発揮することができる。
【００１３】
また、写真を収納する収納体に恋人、家族等の写真を飾ることによって事故を起こさぬよう自戒し、安全意識に徹することにより慎重な運転が期待できるので事故防止にも役立ち、交通安全において貢献するところ大なるものがある。
【発明を実施するための最良の形態】
【００１４】
本発明に係る写真ホルダの実施形態について図面に基いて以下説明する。
【実施例１】
【００１５】
図１〜図３、及び図５は本発明の一実施の形態を示すもので、図１は、本発明の写真ホルダ１を設置する車内を運転席側から見た正面図、図２ａは、車内のフロントに設けてあるエアコン吹出口４の周辺部を示す拡大正面図、図２ｂは、 図２ａに示す車内のフロントに設けたエアコン吹出口６を開放してＡ−Ａ方向に見たフィン６１の拡大図、図３は、本発明の写真ホルダ１を構成する写真収納体２で、図３ａは、該写真収納体２を形成する本体フレーム２１を表側から見た正面図、図３ｂは、該本体フレーム２１を裏側から見た背面図、図３ｃは、本体フレーム２１に嵌合される透明板２２、図３ｄは、本体フレーム２１に嵌合された透明板２２を押さえる背面板２３、図５ａは、一端部に固着具３を設けたフレキシブル支持体４を写真収納体２の本体フレーム２１に取り付けた写真ホルダ１の正面図、図５ｂは、写真収納体２に写真を入れた状態を示す写真ホルダ１の正面図、図５ｃは、クリップ状の固着具を示す正面図と側面図である。
【００１６】
上記したように、本発明の写真ホルダ１は、本体フレーム２１、透明板２２、背面板２３、固着具３、及びフレキシブル支持体４によって構成されている。
【００１７】
図３ａに示す本体フレーム２１は金属材料によって成形され、その形状の一つとして矩形状からなっている。本体フレーム２１の形状には、ハート形、菱形、三角形、円形等の形状が使用され、金属材料からなる本体フレーム２１の表面を合成樹脂等によって被覆することにより多種類のカラーによる本体フレーム２１を揃えることができる。
図３ｂは、本体フレーム２１を裏側から見た背面図で、該本体フレーム２１の内周側に溝部２１ａが設けられている。
図３ｃは、本体フレーム２１に取り付ける合成樹脂材、或いはガラス材等からなる透明板２２で、上記した本体フレーム２１の背面側に設けた溝部２１ａに透明板２２が嵌め込まれ、該透明板２２上に写真が載置される。
図３ｄは、本体フレーム２１に取り付ける合成樹脂材等からなる背面板２３で、本体フレーム２１に嵌め込まれた透明板２２上に写真を載置し、その写真の背面より背面板２３で押さえることにより、写真は、透明板２２と背面板２３とに挟まれたかたちで取り付けられる。本体フレーム２１に対する背面板２３の固定手段は、例えば、本体フレーム２１、又は背面板２３の一部をマグネット化することによって、背面板２３が本体フレーム２１に固定される。    
【００１８】
図５には、上記写真収納体２を車内に取り付けるため、一端部に固着具３を設けたフレキシブル支持体４を写真収納体２の本体フレーム２１に取り付けた本発明の写真ホルダ１が示されている。写真収納体２を支持するフレキシブル支持体４は、可撓性のある金属材料からなり、その表面を合成樹脂等で被覆することにより多種類のカラーによるフレキシブル支持体４を揃えることができる。また、運転する人が一番見やすいところに写真収納体２を位置させるためには、該フレキシブル支持体４は２０〜３０ｃｍ位の長さが必要である。フレキシブル支持体は、フレキシブルシャフト、その他適宜のフレキシブル構造からなるものでよく、その支持角度や方向を任意に変えることができるものであれば如何なるものでもよい。
【００１９】
上記したように、フレキシブル支持体４の一端部には車内に取り付けるための固着具３を設けているが、該固着具３は、車内に取り付ける箇所に合った固着具３が使用される。その一例として、図５ｃに示すクリップ状の固着具３がフレキシブル支持体４の一端部に設けられる。該クリップ状の固着具３はバネ体３１と把持体３２からなり、該把持体３２の先端部に設けた穴を利用し、適宜の固定金具を用いてフレキシブル支持体４が結合される。
図２ａ、ｂに示すエアコン吹出口６には縦横にフィン６１が設けられているが、該クリップ状の固着具３の把持部３２を指で押さえることによってバネ体３１の先端部を開き、この状態でバネ体３１の先端部間にフィン６１を挟むようにしてバネ体３１の先端部を挿入し、把持部３２から指を離すことによってバネ体３１の先端部によりフィン６１を狭着し、フレキシブル支持体４が車内に固定される。
【００２０】
フレキシブル支持体４によって車内に固定された写真ホルダ１の写真収納体２に写真が納められるが、その取り付けは、背面板２３を本体フレーム２１から取り外し、本体フレーム２１に嵌め込まれてある透明板２２上に写真を載置した後背面板２３を嵌め込むことにより、図５ｂに示されるように写真収納体２に写真が収納される。
【実施例２】
【００２１】
図４は、実施例２の写真収納体５で、実施例１で示した写真収納体２は、本体フレーム２１、透明板２２及び背面板２３から形成されているが、できるだけ軽く、できるだけ薄い写真収納体にするため、その写真収納体５は、合成樹脂材によるコ字形フレーム５１と、合成樹脂による透明板５２によって形成され、写真収納体５の周辺部となる２枚のコ字形フレーム５１を使用して、２枚の透明板５２を狭着することにより写真収納体５が形成されている。
したがって、２枚重ねた透明板５２の左右辺部と下辺部は２枚のコ字形フレーム５１によって狭着されるが、開放されている上辺部から写真が収納される。
【００２２】
該写真収納体５は、実施例１と同じくその下辺部に、一端部に固着具３を設けたフレキシブル支持体４が取り付けられる。
実施例１では、吹出口６のフィン６１を利用して写真ホルダ１のフレキシブル支持体４を取り付けたが、実施例２では、図２ａに示す吹出口近くに設けてあるシガレットライターを挿入するソケット部７を利用してフレキシブル支持体４が取り付けられる。
図５ｄに示すように、シガレットライターのソケット部７に挿入される円筒状の挿入体からなる固着具３がフレキシブル支持体４の一端部に設けられるが、該固着具３は、挿入体３３と接合片３４からなり、該挿入体３３の一端部に設けた接合片３４の穴を利用し、適宜の固定金具を用いてフレキシブル支持体４が結合される。
図２ａ、ｂに示すエアコン吹出口６の横にはシガレットライターのソケット部７が設けられており、該固着具３を形成する挿入体３３をソケット部７に挿入することによってフレキシブル支持体４が車内に固定される。
また、ソケット部７との取り付けを強固にするために挿入体３３の側面にバネ体を設け（図示せず）、該挿入体３３がシガレットライターのソケット部７に挿入されると、その側面に設けたバネ体がソケット部７の内壁面を押圧し、挿入体３３は強固に固定される。
【００２３】
フレキシブル支持体４によって車内に固定された写真ホルダ１の写真収納体５に写真が納められるが、その取り付けは、開放された上辺部より写真を入れることで簡単に納めることができる。
この実施例で使用される固着具３は、シガレットライターのソケット部７に挿入されるので、写真収納体５を形成するコ字形フレーム５１（又は、本体フレーム２１）に豆電球等の照明器具を数カ所取り付け（図示せず）、該ソケット部７を電源として、コ字形フレーム５１（又は、本体フレーム２１）に設けた豆電球を点灯することにより、飾り枠となる。
【００２４】
上記実施例では、写真ホルダ１を車内に取り付ける固着具３として、挟持金具であるクリップ状の固着具、或いは、シガレットライターのソケット部７に挿入される円筒状の挿入体３３からなる固着具が使用されたが、フラット面を利用して固定する吸盤による固着具を使用してもよい。
また、実施例１の固着具としてエアコン吹出口のフィンに固定されるクリップ状の狭持金具、実施例２の固着具としてシガレットライターのソケット部に差し込んで固定される挿入体が使用されたが、該固着具を取り替えて使用してもよい。
【図面の簡単な説明】
【００２５】
【図１】本発明の写真ホルダを設置する車内を運転席側から見た正面図である。
【図２】（ａ）車内のエアコン吹き出し口周辺部を示す拡大正面図、（ｂ）車内のエアコン吹き出し口を開放したフィンの拡大図である。
【図３】（ａ）本発明の写真収納体を形成する本体フレームを表側から見た正面図、（ｂ）本発明の写真収納体を形成する本体フレームを裏側から見た背面図、（ｃ）本発明の写真収納体の本体フレームに嵌合される透明板、（ｄ）本発明の写真収納体の本体フレームに嵌合される背面板である。
【図４】本発明の写真収納体の正面図である。
【図５】（ａ）本発明の写真ホルダの正面図、（ｂ）本発明の写真ホルダに写真を取り付けた正面図、（ｃ）本発明のクリップ状の固着具を示す正面図及び側面図、（ｄ）本発明の挿入体による固着具を示す側面図及び正面図である。
【図６】従来例を示す斜視図である。
【符号の説明】
【００２６】
１      写真ホルダ
２      写真収納体
２１    本体フレーム
２１ａ  溝部
２２    透明板
２３    背面板
３      固着具
３１    バネ体
３２    把持部
３３    挿入体
３４    接合片
４      フレキシブル支持体
５      写真収納体
５１    コ字形フレーム
５２    透明板
６      吹出口
６１    フィン  
７      シガレットライターのソケット部
【図１】
2006043012.tif 000003
【図２】
2006043012.tif 000004
【図３】
2006043012.tif 000005
【図４】
2006043012.tif 000006
【図５】
2006043012.tif 000007
【図６】
2006043012.tif 000008